(57)【要約】【課題】受信制限のためのブランキング制御を的確に行なうことのできる電波送受信装置を提案する。【解決手段】ブランキング制御テーブルを有する信号処理器を設ける。このブランキング制御テーブルは、複数の各送信周波数のｎ次高調波のそれぞれに対応する複数のブランキング設定エリアを有し、この各ブランキング設定エリアのブランキング設定に基づき、受信系の受信制限を行なう。各ブランキング設定は、対応する各送信周波数のｎ次高調波のそれぞれで、ブランキングの実行、非実行を表わす。【選択図】図３
2006266753.tif 000002
【特許請求の範囲】
【請求項１】
複数の送信周波数の送信電波を送信する送信系と、受信電波を受信する受信系と、ブランキング制御テーブルを有し前記送信系および前記受信系に接続された信号処理器とを備え、前記ブランキング制御テーブルに基づき、前記受信系における受信制限を行なう電波送受信装置であって、前記ブランキング制御テーブルは、前記送信系から送信される前記各送信周波数のｎ次（ｎは２以上の正の整数）次高調波のそれぞれに対応する複数のブランキング設定エリアを含み、これらの各ブランキング設定エリアのそれぞれは、受信制限の実行と非実行のいずれかを表わすブランキング設定を含み、これらの各ブランキング設定に基づき、対応する前記ｎ次の高調波における前記受信系での受信制限を制御することを特徴とする電波送受信装置。
【請求項２】
請求項１記載の電波送受信装置であって、前記各ブランキング設定が、対応する前記ｎ次の高調波における前記送信系と受信系との間の干渉レベルに対応することを特徴とする電波送受信装置。
【請求項３】
請求項２記載の電波送受信装置であって、前記各ブランキング設定が、前記電波送受信装置を搭載した搭載母体にも対応していることを特徴とする電波送受信装置。
【請求項４】
請求項２記載の電波送受信装置であって、前記各ブランキング設定が、搭載母体に対する前記電波送受信装置の装備形態にも対応していることを特徴とする電波送受信装置。
【請求項５】
請求項２記載の電波送受信装置のブランキング制御装置であって、前記各ブランキング設定が、干渉レベルの確認のために、前記複数の送信周波数を含む確認用送信電波に基づき校正されたものであることを特徴とする電波送受信装置。
【請求項６】
請求項１記載の電波送受信装置であって、前記ブランキング制御テーブルは、さらに前記電波送受信装置と別の電波機器が送信する別機器送信周波数のｎ次高調波に対応する少なくとも１つの別機器対応ブランキング設定エリアを含み、この別機器対応ブランキング設定エリアも、受信制限の実行と非実行のいずれかを表わす別機器対応ブランキング設定を含み、この別機器対応ブランキング設定に基づき、前記別機器送信周波数またはそのｎ次高調波における前記受信系での受信制限を制御することを特徴とする電波送受信装置。
【発明の詳細な説明】
【技術分野】
【０００１】
この発明は、電波の送受信を行なう電波送受信装置に関するもので、とくに送信系と受信系との間における干渉を防止するブランキング制御を含む電波送受信装置に関するものである。
【背景技術】
【０００２】
この種のブランキング制御が先行技術、特開２００１−１６６０３７号公報に開示されている。この先行技術には、２つの装置間における干渉を防ぐためのブランキング制御が開示されている。
【０００３】
このブランキング制御は、電波送受信装置において利用される場合が多い。この電波送受信装置では、自己の送信電波が自己の受信系に回り込む干渉を起こすため、自己が送信電波を送信するときに、受信系を閉ざすなどの受信制限を行ない、自己の送信電波による干渉を防止するブランキング制御が行なわれる。とくに電波送受信装置が、比較的小さい航空機などの搭載母体に搭載される場合には、送信電波が自己の受信系に回り込む干渉が大きくなる。受信帯域幅が広く、送信周波数の基本周波数とともに、そのn次高調波の周波数が受信帯域幅に含まれる電波送受信装置では、送信電波の基本周波数で受信制限を行なうとともに、そのｎ次高調波でも干渉が生じる可能性があるので、そのｎ次高調波においても一律に受信制限を行なう。
【０００４】
【特許文献１】特開２００１−１６６０３７号公報
【発明の開示】
【発明が解決しようとする課題】
【０００５】
しかし、送信周波数のｎ次高調波では、送信アンテナと受信アンテナとの距離が一定であっても、周波数が高くなるほど、空間伝搬損が大きくなるので、送信系と受信系との間の干渉レベルが減少し、アイソレーション量が増加する傾向にある。このため、ｎ次高調波に対して、基本周波数における受信制限と一律に受信制限を行なうと、ブランキング制御による受信制限の必要のない周波数でも、ブランキングが実行され、受信性能が低下する不都合が生じる。この不都合に伴ない、例えば電波の存在を探知して妨害電波を送信する電波送受信装置では、電波の存在をすぐに探知する瞬探性が低下し、また存在する電波を高い確率で受信する探知率の低下を招く恐れがある。
【０００６】
この発明は、このような不要な受信制限を解消することのできる電波送受信装置を提案するものである。
【課題を解決するための手段】
【０００７】
この発明による電波送受信装置は、複数の送信周波数の送信電波を送信する送信系と、受信電波を受信する受信系と、ブランキング制御テーブルを有し前記送信系および前記受信系に接続された信号処理器とを備え、前記ブランキング制御テーブルに基づき、前記受信系における受信制限を行なう電波送受信装置であって、前記ブランキング制御テーブルは、前記送信系から送信される前記各送信周波数のｎ次（ｎは２以上の正の整数）次高調波のそれぞれに対応する複数のブランキング設定エリアを含み、これらの各ブランキング設定エリアのそれぞれは、受信制限の実行と非実行のいずれかを表わすブランキング設定を含み、これらの各ブランキング設定に基づき、対応する前記ｎ次高調波における前記受信系での受信制限を制御することを特徴とする。
【発明の効果】
【０００８】
この発明による電波送受信装置では、ブランキング制御テーブルが、送信系から送信される複数の各送信周波数のｎ次（ｎは２以上の正の整数）次高調波のそれぞれに対応する複数のブランキング設定エリアを含み、これらの各ブランキング設定エリアのそれぞれが、受信制限の実行と非実行のいずれかを表わすブランキング設定を含み、これらの各ブランキング設定に基づき、対応するｎ次高調波における受信系での受信制限を制御するので、n次高調波における不要な受信制限を解消し、受信性能を向上することができる。
【発明を実施するための最良の形態】
【０００９】
以下この発明のいくつかの実施の形態について、図面を参照して説明する。
【００１０】
実施の形態１．
図１は、この発明による電波送受信装置の実施の形態１を示すブロック図、図２は実施の形態１の搭載母体への搭載状態の説明図、図３は実施の形態１の信号処理器におけるブランキング制御テーブルを示す図、図４、図５は、実施の形態１におけるブランキング制御を示す特性図である。
【００１１】
実施の形態１の電波送受信装置１００は、電波の探査を行ない併せて電波妨害を行なう電波探査妨害装置である。この電波送受信装置１００は、図１に示すように、送信アンテナ１と、送信系２と、受信系３と、受信アンテナ４と、信号処理器５とを備えている。送信系２は送信アンテナ１に接続され、送信アンテナ１から送信電波ＴＷを送信する。受信系３は受信アンテナ４に接続され、受信アンテナ４で受信された受信電波を受信する。
【００１２】
実施の形態１の電波送受信装置１００は、図２に示すように搭載母体１０に搭載される。搭載母体１０は、例えば航空機である。送信系２は、広い送信帯域幅を有し、この送信帯域幅の中で複数の送信周波数Ｆ１、Ｆ２、Ｆ３、・・・、Ｆｎの送信電波ＴＷを送信できるように構成される。この送信系２は、例えば相手の航空機、通信設備による通信を妨害する妨害電波を送信するものであり、送信帯域幅の中から、相手の通信を妨害するのに最適の送信周波数を選定して、送信電波ＴＷを送信する。Ｆ１、Ｆ２、Ｆ３、・・・、Ｆｎは送信電波ＴＷの基本周波数である。これらは、Ｆ１＜Ｆ２＜Ｆ３・・・＜Ｆｎの関係とする。送信アンテナ１は、図２に示すように、搭載母体１０の前方位置１０ａに設置され、この位置１０ａから搭載母体１０の前方に向けて送信電波ＴＷを送信する。
【００１３】
受信系３も広い受信帯域幅を有し、この受信帯域幅の中で、各種の受信電波を受信する。この受信系３は、その広い受信帯域幅の中で、例えば相手の航空機、通信設備が発信する送信電波を受信する。受信アンテナ４は、図２に示すように、搭載母体１０の位置１０ａから離れた前方位置１０ｂに設置されるが、送信アンテナ１から送信される送信電波ＴＷに基づき、その回り込み電波ＳＷを受ける。受信系３の受信帯域幅は、送信電波ＴＷの基本周波数Ｆ１、Ｆ２、・・・、Ｆｎだけでなく、そのｎ次（ｎは２以上の正の整数）の高調波も含むものとされる。具体的には、送信電波の基本周波数の２次（ｎ＝２）および３次（ｎ＝３）高調波も含むものとされる。
【００１４】
信号処理器５は、送信系２と受信系３とに接続される。この信号処理器５は、受信系３で受信した相手の送信電波の送信周波数に対応した送信周波数を送信系２に設定し、この送信系２から送信電波ＴＷを送信して、相手の送信電波が受信されるのを妨害する。
【００１５】
信号処理器５は、図３に示すブランキング制御テーブル２０を含む。このブランキング制御テーブル２０は、受信系３におけるブランキング制御を表わすもので、左欄２１に送信電波ＴＷの基本周波数Ｆ１、Ｆ２、・・・、Ｆｎを示す。右欄２２はブランキング設定エリアである。このブランキング設定エリア２２は、基本周波数に対するブランキング設定エリア２３と、２次高調波に対するブランキング設定エリア２４と、３次高調波に対するブランキング設定エリア２５を含んでいる。
【００１６】
各ブランキング設定エリア２３、２４、２５は、ブランキング設定を含んでいる。このブランキング設定は、記号ＢＫＹ、ＢＫＮを用いて設定され、受信系３における受信制限の実行と非実行のいずれかを表わしている。ブランキング設定ＢＫＹは受信制限の実行を表わし、このブランキング設定ＢＫＹでは、受信系３が受信をストップし、受信制限を行なう。またブランキング設定ＢＫＮは受信制限の非実行を表わし、このブランキング設定ＢＫＮでは、受信系３は受信制限を受けることなく、正常に受信動作を行なう。
【００１７】
図４は送信電波ＴＷの基本周波数がＦ１である場合におけるブランキング制御を棒状のゾーンＺ１１、Ｚ１２、Ｚ１３で示す。実線で示されたゾーンＺ１１、Ｚ１２は受信制限の実行を表わし、点線で示すゾーンＺ１３は受信制限の非実行を表わす。図４の縦軸は、送信電波ＴＷに伴なう送信アンテナ１から受信アンテナ４への回り込み電波ＳＷによる干渉レベルを示し、直線Ｌは受信系３の最小受信感度を示す。図４の横軸は、受信周波数を示す。この干渉レベルは、送信系２と受信系３との間のアイソレーション量に逆比例し、アイソレーション量が増加すれば干渉レベルは減少し、そのアイソレーション量が減少すれば干渉レベルは増加する。
【００１８】
ゾーンＺ１１は基本周波数Ｆ１に対応するゾーンであり、基本周波数Ｆ１を示す矢印を中心とする周波数幅Ｗ１１のゾーンである。ゾーンＺ１２は基本周波数Ｆ１の２次高調波２＊Ｆ１に対応するゾーンであり、２次高調波２＊Ｆ１を示す矢印を中心とする周波数幅Ｗ１２のゾーンである。ゾーンＺ１３は基本周波数Ｆ１の３次高調波３＊Ｆ１に対応するゾーンであり、３次高調波３＊Ｆ１を示す矢印を中心とする周波数幅Ｗ１３のゾーンである。ゾーンＺ１２の周波数幅Ｗ１２はゾーンＺ１１の周波数幅Ｗ１１の２倍であり、ゾーンＺ１３の周波数幅Ｗ１３はゾーンＺ１１の周波数幅Ｗ１１の３倍である。
【００１９】
ゾーンＺ１１では、干渉レベルが受信系３の最小受信感度Ｌを超えるので、ブランキング設定ＢＫＹが設定され、周波数幅Ｗ１１において受信系３の受信が停止され、受信制限が行なわれる。ゾーンＺ１２では、周波数の増大に伴ない、干渉レベルがゾーンＺ１１よりも低下するが、その干渉レベルがまだ受信系３の最小受信感度Ｌを超えるので、ブランキング設定ＢＫＹが設定され、周波数幅Ｗ１２において受信系３の受信が停止され、受信制限が行なわれる。ゾーンＺ１３では、周波数の増大に伴ない、干渉レベルが最小受信感度Ｌよりも小さくなるので、ブランキング設定ＢＫＮが設定され、周波数幅Ｗ１３における受信制限が非実行とされ、受信系３は正常に受信動作を行なう。
【００２０】
図５は送信電波ＴＷの基本周波数がＦ２である場合におけるブランキング制御を棒状のゾーンＺ２１、Ｚ２２、Ｚ２３で示す。実線で示されたゾーンＺ２１は受信制限の実行を表わし、点線で示すゾーンＺ２２、Ｚ２３は受信制限の非実行を表わす。図４と同様に、図５の縦軸は、送信電波ＴＷに伴なう送信アンテナ１から受信アンテナ４への回り込み電波ＳＷによる干渉レベルを示し、直線Ｌは受信系３の最小受信感度を示す。図５の横軸は、受信周波数を示す。
【００２１】
ゾーンＺ２１は基本周波数Ｆ２に対応するゾーンであり、基本周波数Ｆ２を示す矢印を中心とする周波数幅Ｗ２１のゾーンである。ゾーンＺ２２は基本周波数Ｆ２の２次高調波２＊Ｆ２に対応するゾーンであり、２次高調波２＊Ｆ２を示す矢印を中心とする周波数幅Ｗ２２のゾーンである。ゾーンＺ２３は基本周波数Ｆ２の３次高調波３＊Ｆ２に対応するゾーンであり、３次高調波３＊Ｆ２を示す矢印を中心とする周波数幅Ｗ２３のゾーンである。ゾーンＺ２２の周波数幅Ｗ２２はゾーンＺ２１の周波数幅Ｗ２１の２倍であり、ゾーンＺ２３の周波数幅Ｗ２３はゾーンＺ２１の周波数幅Ｗ２１の３倍である。
【００２２】
ゾーンＺ２１では、干渉レベルが受信系３の最小受信感度Ｌを超えるので、ブランキング設定ＢＫＹが設定され、周波数幅Ｗ２１において受信系３の受信が停止され、受信制限が行なわれる。ゾーンＺ２２では、周波数の増大に伴ない、干渉レベルがゾーンＺ１１よりも低下し、その干渉レベルが受信系３の最小受信感度Ｌより低くなるので、ブランキング設定ＢＫＮが設定され、周波数幅Ｗ２２においては受信系３の受信制限が行なわれない。ゾーンＺ２３では、周波数の増大に伴ない、干渉レベルがゾーンＺ２２よりもさらに低下し、その干渉レベルが受信系３の最小受信感度Ｌよりも低いので、ブランキング設定ＢＫＮが設定され、周波数幅Ｗ２３においても、ブランキングは実行されず、受信制限は行なわれない。
【００２３】
このように、実施の形態１の電波送受信装置では、送信電波ＴＷの基本周波数Ｆ１、Ｆ２、・・・、Ｆｎでは、周波数は低いため、送信系２と受信系３との間のアイソレーション量が小さく、干渉レベルが高いため、ブランキング設定がすべてＢＫＹとなり、ブランキングが実行され、受信系３に対する受信制限が行なわれる。基本周波数の２次高調波に関しては、周波数Ｆ１の２次高調波２＊Ｆ１だけで、ブランキング設定がＢＫＹとなり、ブランキングが実行され、受信制限が行なわれるが、他の周波数Ｆ２、・・・、Ｆｎの２次高調波２＊Ｆ２、２＊Ｆ３、２＊Ｆｎではすべて受信制限が非実行となり、受信系３は受信制限を受けず正常に受信動作を行なうので、受信性能を向上することができる。基本周波数の３次高調波に関しては、すべての３次高調波３＊Ｆ１、３＊Ｆ２、３＊Ｆ３、３＊Ｆｎで受信制限が非実行となり、受信系３は正常に受信動作を行なうので、受信性能を向上することができる。
【００２４】
実施の形態２．
図６は、この発明の実施の形態による電波送受信装置１００Ａの構成図であり、図７はこの実施の形態２の電波送受信装置１００Ａで使用されるブランキング制御テーブル２０Ａ、２０Ｂを搭載母体１０、１０Ｂとともに示す。
【００２５】
この実施の形態２による電波送受信装置１００Ａは、図６に示すように、信号処理器５に接続されるデータ書込装置６を備えている。送信アンテナ１、送信系２、受信系３、受信アンテナ４、信号処理器５は実施の形態１と同様に構成される。
【００２６】
図７に示すブランキング制御テーブル２０Ａ、２０Ｂは、電波送受信装置１００Ｂの使用環境に応じて、図３に示したブランキング制御テーブル２０から、それぞれブランキング設定の内容を変更している。これらのブランキング制御テーブル２０Ａ、２０Ｂのブランキング設定の内容変更は、図６に示すデータ書込装置６を用いて行なわれる。
【００２７】
図７の中央左には、図３に示したブランキング制御テーブル２０と、それを信号処理器５に内蔵した電波送受信装置１００Ａを搭載した搭載母体１０が示される。このブランキング制御テーブル２０から矢印Ａに沿って右上方に、ブランキング制御テーブル２０Ａと、電波送受信装置１００Ａを搭載した搭載母体１０が示される。またブランキング制御テーブル２０から矢印Ｂに沿って右下方に、ブランキング制御テーブル２０Ｂと、電波送受信装置１００Ａを搭載した搭載母体１０Ｂが示される。
【００２８】
電波送受信装置１００Ａが同じ搭載母体１０に搭載された場合でも、その電波送受信装置１００Ａの装備形態が相違すれば、それに応じてブランキング制御を変更する必要がある。ブランキング制御テーブル２０からブランキング制御テーブル２０Ａへの変更は、このような搭載母体１０が同じで、装備形態が相違する場合に対応している。ブランキング制御テーブル２０Ａとブランキング制御テーブル２０とを比較すると、ブランキング制御テーブル２０Ａでは、送信電波ＴＷの基本周波数Ｆ２の２次高調波２＊Ｆ２について、ブランキング設定がＢＫＮからＢＫＹに変更されている。この変更は、具体的には、電波送受信装置１０Ａの装備形態が、送信アンテナ１と受信アンテナ４との距離が小さくなり、送信系２と受信系３との間のアイソレーション量が小さくなり、送信系２と受信系３との間の干渉レベルが大きくなるように変更された場合に対応するものである。
【００２９】
電波送受信装置１００Ａの搭載母体が相違した場合には、それに応じてブランキング制御を変更する必要がある。ブランキング制御テーブル２０からブランキング制御テーブル２０Ｂへの変更は、このような搭載母体が相違する場合に対応している。ブランキング制御テーブル２０は、電波送受信装置１００Ａが搭載母体１０に搭載された場合に対応するが、ブランキング制御テーブル２０Ｂは、電波送受信装置１００Ａがそれと相違する搭載母体１０Ｂに搭載された場合に対応する。ブランキング制御テーブル２０Ｂとブランキング制御テーブル２０とを比較すると、ブランキング制御テーブル２０Ｂでは、送信電波ＴＷの基本周波数Ｆ１の２次高調波２＊Ｆ１について、ブランキング設定がＢＫＹからＢＫＮに変更されている。この変更は、具体的には、搭載母体の変更に伴ない、送信アンテナ１と受信アンテナ４との距離が大きくなり、送信系２と受信系３とのアイソレーション量が大きくなり、送信系２と受信系３との間の干渉レベルが小さくなる場合に対応するものである。
【００３０】
このように、実施の形態２では、この発明による電波送受信装置１００Ａの装備形態の変更または搭載母体の変更に伴なう送信系２と受信系３との間のアイソレーション量の変化に対応して、ブランキング制御テーブル２０Ａ、２０Ｂのように、ブランキング設定を変更するものであり、装備形態または搭載母体の変更に対応して、最適のブランキング制御を行ない、受信系３による受信性能の向上を図ることができる。
【００３１】
実施の形態３．
この実施の形態３は、この発明による電波送受信装置が、ある搭載母体１０に搭載された状態で、繰り返し使用される場合において、その運用により送信系２と受信系３との間のアイソレーション量が変化することに関連し、電波送受信装置の使用に際して、送信系２と受信系３との間のアイソレーション量を、使用に先立ってその都度確認し、ブランキング制御テーブル１０のブランキング設定を校正するものである。
【００３２】
この実施の形態３では、図８に示す電波送受信装置１００Ｂが使用され、ブランキング設定の校正は、信号処理器５によって行なわれる。この図８の電波送受信装置１００Ｂは、図１と同じであるが、アイソレーション量を確認するために、信号処理器５により、確認用送信電波ＴＷＣを送信するように送信系２を制御し、またその確認用送信電波ＴＷＣに基づく確認用回り込み電波ＳＷＣを受信するように受信系３を制御する。
【００３３】
アイソレーション量の確認のための確認用送信電波ＴＷＣは、通常の送信電波ＴＷと同じ複数の送信周波数Ｆ１、Ｆ２、Ｆ３、・・・、Ｆｎを用いて送信される。これらの確認用送信電波ＴＷＣのそれぞれにおいて、基本周波数Ｆ１、Ｆ２、Ｆ３、・・・、Ｆｎ、２次高調波２＊Ｆ１、２＊Ｆ２、２＊Ｆ３、・・・、２＊Ｆｎおよび３次高調波３＊Ｆ１、３＊Ｆ２、３＊Ｆ３、・・・、３＊Ｆｎのそれぞれについて、送信アンテナ１から受信アンテナ４への回り込み電波ＳＷＣを確認し、送信系２と受信系３との間のアイソレーション量を測定する。この測定の結果に基づき、ブランキング制御テーブル１０のブランキング設定に修正の必要があれば、信号処理器５の中で、そのブランキング設定の修正を行なう。
【００３４】
この実施の形態３では、ブランキング制御テーブル２０のブランキング設定が、アイソレーション量の確認のために、確認用送信電波ＴＷＣに基づき校正されるので、この校正を電波送受信装置１００Ｂの使用に先立ち、その都度に行なうことにより、常にブランキング制御を適切に実行できる。
【００３５】
実施の形態４．
この実施の形態４は、この発明による電波送受信装置が、別の電波機器が送信する別機器送信電波に基づく干渉を受けることを考慮して、この別機器送信電波に対するブランキング設定を含むブランキング制御テーブルをも用意するものである。
【００３６】
図９はこの発明の実施の形態４による電波送受信装置１００Ｃの構成図である。図９には、この発明の実施の形態４による電波送受信装置１００Ｃと、別の電波機器２００とを併せて図示している。別の電波機器２００は、送信アンテナ２０１と、この送信アンテナ２０１に接続された送信系２０２と、この送信系２０２に接続された電波機器制御器２０３とを含む。送信系２０２は、電波機器制御器２０３の制御により、送信アンテナ２０１から別機器送信電波ＴＷＡを送信する。この別の電波機器２００は、複数の送信周波数Ｆａ、Ｆｂ、Ｆｃ、・・・、Ｆｍにおいて別機器送信電波ＴＷＡを送信するものとする。この別機器送信電波ＴＷＡに基づく回り込み電波ＳＷＡが、この発明の実施の形態４による電波送受信装置１００Ｃの受信アンテナ４に干渉する。
【００３７】
この発明の実施の形態４による電波送受信装置１００Ｃは、図１の電波送受信装置１００と同じ送信アンテナ１と、送信系２と、受信系３と、受信アンテナ４と、信号処理器５を備え、信号処理器５は別の電波機器２００の電波機器制御器２０３に接続されるインターフェイス部５Ａを有する。
【００３８】
この発明の実施の形態４による電波送受信装置１００Ｃでは、信号処理器５がそのインターフェイス部５Ａを介して電波機器制御器２０３からの制御信号ＣＳを受ける。この制御信号ＣＳは、別の電波機器２００から別機器送信電波ＴＷＡが送信されるときに信号処理器５に供給される。
【００３９】
実施の形態４では、別の電波機器２００を搭載したときに、この別の電波機器２００と電波送受信装置１００Ｄとの間のアイソレーション量を確認する。この確認の段階では、別の電波機器２００が、アイソレーション量の確認のために、各送信周波数Ｆａ、Ｆｂ、Ｆｃ、・・・、Ｆｍの確認用送信電波を送信する。これらのそれぞれの周波数の確認用送信電波の送信に伴ない、制御信号ＣＳが信号処理器５に供給され、送信アンテナ２０１からの回りこみ電波ＳＷＡを、受信系３で受信するように制御し、この回り込み電波ＳＷＡに関するアイソレーション量を信号処理器５で測定する。それぞれの確認用送信電波のそれぞれの周波数について、別機器送信電波ＴＷＡの基本周波数、２次高調波および３次高調波に対するアイソレーション量を測定する。
【００４０】
実施の形態４の信号処理器５は、図３に示すブランキング制御テーブル２０を内臓するとともに、このブランキング制御テーブル２０と別の別機器のための別機器用ブランキング制御テーブルを内蔵する。この別機器用ブランキング制御テーブルは、図３のブランキング制御テーブル２０と同様の別機器用ブランキング設定エリア２２を含む。この別機器用ブランキング設定エリア２２は、別の電波機器２００の送信電波の基本周波数Ｆａ、Ｆｂ、Ｆｃ、・・・、Ｆｍと、その２次高調波、３次高調波についての別機器ブランキング設定を含み、この別機器ブランキング設定は、それぞれ対応する基本周波数、２次高調波および３次高調波におけるアイソレーション量に対応した設定内容とされる。
【００４１】
この実施の形態４では、別機器ブランキング設定に応じて、受信系３におけるブランキング制御が行なわれるので、別の電波機器２００に対しても、必要な受信制限を行ないながら、不要な受信制限を解消し、受信性能を向上することができる。
【産業上の利用可能性】
【００４２】
この発明による電波送受信装置は、飛行機などに搭載される電波探索妨害装置などに応用できる。
【図面の簡単な説明】
【００４３】
【図１】この発明による電波送受信装置の実施の形態１の構成図。
【図２】実施の形態１の電波送受信装置の搭載母体への搭載状態の説明図。
【図３】実施の形態１におけるブランキング制御テーブルを示す図。
【図４】実施の形態１の送信周波数Ｆ１に対するブランキング制御状態を示すグラフ。
【図５】実施の形態１の送信周波数Ｆ２に対するブランキング制御状態を示すグラフ。
【図６】この発明による電波送受信装置の実施の形態２の構成図。
【図７】実施の形態２におけるブランキング制御テーブルを示す図。
【図８】この発明による電波送受信装置の実施の形態３の構成図。
【図９】この発明による電波送受信装置の実施の形態４の構成図。
【符号の説明】
【００４４】
１００、１００Ａ、１００Ｂ、１００Ｃ：電波送受信装置、
１：送信アンテナ、２：送信系、３：受信系、４：受信アンテナ、５：信号処理器、
５Ａ：インターフェイス部、６：データ書込装置、
１０、１０Ｂ：搭載母体、２０、２０Ａ、２０Ｂ：ブランキング制御テーブル、
２２、２３、２４、２５：ブランキング設定エリア、
２００：別の電波機器、２０１：送信アンテナ、２０２：送信系、
２０３：電波機器制御部。
【図１】
2006266753.tif 000003
【図２】
2006266753.tif 000004
【図３】
2006266753.tif 000005
【図４】
2006266753.tif 000006
【図５】
2006266753.tif 000007
【図６】
2006266753.tif 000008
【図７】
2006266753.tif 000009
【図８】
2006266753.tif 000010
【図９】
2006266753.tif 000011